(57)【要約】【課題】  電流容量が大きな電気器具に対して断路器の小型化を図ることでコンパクトな電源線接続装置を提供する。【解決手段】  電源線５０に接続される電気器具を組み込んだ器具接合部１１と、器具接合部１１を電源線５０に対してスイッチ機構３１により断接する断路部１２とを備え、断路部１２に対して器具接合部１１を着脱自在に一体化すると共に、スイッチ機構３１を断路部１２と器具接合部１１とに分配する。【選択図】    図１
2018170119.tif 000002
【特許請求の範囲】
【請求項１】
電源線に接続される電気器具を組み込んだ器具接合部と、前記器具接合部を電源線に対してスイッチ機構により断接する断路部とを備え、
前記断路部に対して前記器具接合部を着脱自在の形態で一体化すると共に、前記スイッチ機構を断路部と器具接合部とに分配してスイッチとして機能させることを特徴とする電源線接続装置。
【請求項２】
前記器具接合部の筐体に弾性変形可能な爪部を設けると共に前記断路部の対向部位に段差部を形成し、前記爪部を前記段差部に係止させ、爪部の基部を押圧することにより爪部を弾性変形させることで器具接合部を断路部から取り外し可能とした請求項１に記載の電源線接続装置。
【請求項３】
前記器具接合部の筐体と前記断路部の対向部位との間に、前記爪部の基部を押圧することを許容する空間を形成した請求項１又は２に記載の電源線接続装置。
【請求項４】
前記器具接合部の筐体に、前記断路部に対する前記器具接合部の取り外し時に器具接合部を揺動させることを許容する逃げ部を設けた請求項１〜３のいずれか一項に記載の電源線接続装置。
【請求項５】
前記スイッチ機構は、前記断路部の内部に収容され、下方から上方への揺動により断路部の筐体から突出可能とした刃形接触子と、前記器具接合部の対向部位に設けられ、断路部の筐体から突出した前記刃形接触子を受ける刃受接触子とを具備した請求項１〜４のいずれか一項に記載の電源線接続装置。
【請求項６】
前記スイッチ機構は、断路部の内部で揺動自在に軸支され、断路部の筐体から外部に導出されたレバーを備え、前記レバーと前記刃形接触子とを一体化し、レバーの揺動操作により前記刃形接触子を断路部の筐体のスリットを介して突出退入可能とした構造を有する請求項１〜５のいずれか一項に記載の電源線接続装置。
【請求項７】
前記スイッチ機構は、レバーの操作をロックする弾性変形可能な係止部を前記断路部の筐体に設け、前記係止部を押し込むことにより、レバーのロック状態を解除可能とした構造を有する請求項１〜６のいずれか一項に記載の電源線接続装置。
【請求項８】
前記スイッチ機構は、レバーのロック状態の解除時に係止部の押し込み量を抑制するストッパ部を、前記断路部の内部に配置した構造を有する請求項１〜７のいずれか一項に記載の電源線接続装置。
【請求項９】
前記スイッチ機構は、前記刃形接触子に尖端状の刃先部を形成し、前記刃先部の先端部にカット部を形成すると共に、前記刃受接触子に二枚の板状部を形成し、刃形接触子の前記刃先部を刃受接触子の前記板状部間に挿入可能とした構造を有する請求項１〜８のいずれか一項に記載の電源線接続装置。
【請求項１０】
前記スイッチ機構は、前記刃受接触子に、前記刃形接触子の挿入を案内しながら刃形接触子との接合を確保するガイド部を設け、前記ガイド部は拡開する舌片状をなす構造を有する請求項１〜９のいずれか一項に記載の電源線接続装置。
【請求項１１】
前記スイッチ機構は、前記刃形接触子および前記刃受接触子を覆う開閉可能な保護カバーを有し、刃形接触子が前記刃受接触子の板状部間に挿入された状態で刃形接触子の刃先部が嵌合する切り込み部を前記保護カバーに設けた構造を有する請求項１〜１０のいずれか一項に記載の電源線接続装置。
【発明の詳細な説明】
【技術分野】
【０００１】
本発明は、電源線に常時接続される電気器具の故障時、その電気器具を電源線から切り離すことで電気器具の点検および交換を可能にする電源線接続装置に関する。
【背景技術】
【０００２】
電源線に常時接続状態となっている電気器具において、その電気器具の不良が判明した場合には、保全作業として電気器具の交換作業を行うが、活線操作を避けるため、電気器具の前段にスイッチを介在させるようにしている。
【０００３】
前述の電気器具に流れる電流が大電流の場合、簡単なスイッチでは電流耐量がないので、ブレーカやナイフスイッチ等の断路器が取り付けられることになる（例えば、特許文献１参照）。
【０００４】
この断路器の取り付け場所としては分電盤がある。また、電気器具の例としては、雷サージから負荷を保護するための避雷器等がある（例えば、特許文献２参照）。
【先行技術文献】
【特許文献】
【０００５】
【特許文献１】特開平１１−８６６６０号公報
【特許文献２】特開２００９−２１８５０８号公報
【発明の概要】
【発明が解決しようとする課題】
【０００６】
分電盤に電気器具を追加設置する場合には、往々にしてナイフスイッチ等の大電流対応の断路器を取り付ける余裕の無いことが多く、特に３線式電源線で、電気器具そのものの筐体は小さくても、想定する電流容量の大きな電気器具においては、断路器も大きくなり、簡単には分電盤に取り付けられないことが起こりうる。
【０００７】
特に、ナイフスイッチ等のスイッチ機構では、電気器具側に接続される刃形接触子と、電源線に接続された刃受接触子とで主要部が構成され、レバー操作により刃形接触子を刃受接触子に差し込む構造となっており、大きな形状である。
【０００８】
このスイッチ機構では、感電事故の防止を目的として、充電部となる刃受接触子を絶縁材料からなるカバーで覆う構造となっている（例えば、特許文献１参照）。
【０００９】
ナイフスイッチ等を通電させる時、レバーの操作により、刃形接触子を下方向から上方向へ向けて揺動させる。これにより、刃形接触子を刃受接触子に差し込むことで、一般的な電気器具へ電源線接続させるようにしている。
【００１０】
また、ナイフスイッチ等の断路時には、レバーの操作により、刃形接触子を上方向から下方向へ向けて揺動させる。これにより、刃形接触子を刃受接触子から離脱させることで、一般的な電気器具への電源線接続を断路させるようにしている。
【００１１】
以上のような構造を具備した断路器では、スイッチ機構のカバーが大きく突出した形状を有する。そのため、小型筐体の電気器具であっても、それと共に断路器を分電盤に設置する場合、分電盤内での専有面積が大きくなり分電盤の大型化を招くことになる。
【００１２】
そこで、本発明は前述の課題に鑑みて提案されたもので、その目的とするところは、電流容量が大きな電気器具に対して断路器の小型化を図ることで、コンパクトな電源線接続装置を提供することにある。
【課題を解決するための手段】
【００１３】
本発明に係る電源線接続装置は、電源線に接続される電気器具を組み込んだ器具接合部と、その器具接合部を電源線に対してスイッチ機構により断接する断路部とを備えた構造を具備する。
【００１４】
前述の目的を達成するための技術的手段として、本発明は、断路部に対して器具接合部を着脱自在の形態で一体化すると共に、スイッチ機構を断路部と器具接合部とに分配したことを特徴とする。
【００１５】
これにより、断路器の小型化を図ることができ、断路機能を具備した電気器具を分電盤に容易に設置することができる。その結果、分電盤の大型化を回避できるコンパクトな電源線接続装置を容易に実現できる。
【００１６】
本発明において、器具接合部の筐体に弾性変形可能な爪部を設けると共に断路部の対向部位に段差部を形成し、爪部を段差部に係止させ、爪部の基部を押圧することにより爪部を弾性変形させることで器具接合部を断路部から取り外し可能とした構造が望ましい。
【００１７】
このような構造を採用すれば、器具接合部の爪部および断路部の段差部からなる簡易な手段でもって、断路部に対する器具接合部の脱着が容易となる。
【００１８】
本発明において、器具接合部の筐体と断路部の対向部位との間に、爪部の基部を押圧することを許容する空間を形成した構造が望ましい。
【００１９】
このような構造を採用すれば、断路部に対して器具接合部を取り外す操作が容易となる。
【００２０】
本発明において、器具接合部の筐体に、断路部に対する器具接合部の取り外し時に器具接合部を揺動させることを許容する逃げ部を設けた構造が望ましい。
【００２１】
このような構造を採用すれば、断路部に対する器具接合部の取り外しが容易となる。
【００２２】
本発明のスイッチ機構は、断路部の内部に収容され、下方から上方への揺動により断路部の筐体から揺動現出する刃形接触子と、器具接合部の対向部位に設けられ、断路部の筐体からの刃形接触子を受ける刃受接触子とを具備した構造が望ましい。
【００２３】
このような構造を採用すれば、断路器の小型化を容易に実現することができる。その結果、分電盤の大型化を回避できるコンパクトな電源線接続装置を容易に実現できる。
【００２４】
本発明のスイッチ機構は、断路部の内部で揺動するように軸支され、断路部の筐体から外部に導出されたレバーを備え、レバーと刃形接触子とを一体化し、レバーの左右揺動操作により刃形接触子を断路部の筐体のスリットを介して揺動現出退入可能とした構造が望ましい。
【００２５】
このような構造を採用すれば、断路部におけるレバーの左右揺動操作でもって刃形接触子と刃受接触子とを容易に挿入分離させることができる。
【００２６】
本発明のスイッチ機構は、レバーの操作をロックする弾性変形可能な係止部を断路部の筐体に設け、係止部を押し込むことにより、レバーのロック状態を解除可能とした構造が望ましい。
【００２７】
このような構造を採用すれば、係止部によるロック状態でレバーの誤操作を未然に防止することができる。また、係止部の弾性変形でもってレバーのロック状態を容易に解除することができる。
【００２８】
本発明のスイッチ機構は、レバーのロック状態の解除時に係止部の押し込み量を抑制するストッパ部を、断路部の内部に配置した構造が望ましい。
【００２９】
このような構造を採用すれば、ストッパ部により係止部の押し込み量を抑制することで、押し込み過ぎによる係止部の破損を未然に防止することができる。
【００３０】
本発明のスイッチ機構は、刃形接触子に尖端状の刃先部を形成し、その刃先部の先端部にカット部を形成すると共に、刃受接触子に二枚の板状部を形成し、刃形接触子の刃先部を刃受接触子の板状部間に挿入可能とした構造が望ましい。
【００３１】
このような構造を採用すれば、刃形接触子に尖端状の刃先部およびカット部を形成することで、刃受接触子の二枚の板状部間に挿入することが容易となる。また、刃形接触子の刃先部を刃受接触子の板状部間に全体挿入することで接触面積を増大させることができる。
【００３２】
本発明のスイッチ機構は、刃受接触子に、刃形接触子の挿入を案内しながら刃形接触子との接合を確保するガイド部を設け、ガイド部は拡開する舌片状をなす構造が望ましい。
【００３３】
このような構造を採用すれば、ガイド部による案内でもって刃形接触子を刃受接触子に挿入することが容易となる。また、刃形接触子の刃先部がガイド部を押圧することで刃受接触子の二枚の板状部を拡開させながら刃形接触子が刃受接触子に挿入されるので、刃形接触子と刃受接触子とを確実に接合させることができる。
【００３４】
本発明のスイッチ機構は、刃形接触子および刃受接触子を覆う開閉可能な保護カバーを有し、刃形接触子が刃受接触子の板状部間に挿入された状態で刃形接触子の刃先部が嵌合する切り込み部を保護カバーに設けた構造が望ましい。
【００３５】
このような構造を採用すれば、接続状態にある刃形接触子と刃受接触子とからなる充電部に対して保護カバーにより感電事故を防止することができる。また、刃受接触子と接続状態にある刃形接触子の刃先部が保護カバーの切り込み部に嵌合することで、保護カバー開扉の誤操作を未然に防止することができる。
【発明の効果】
【００３６】
本発明によれば、スイッチ機構の細部構造である断接部分を断路部と器具接合部とに分配したことにより、断路器としての小型化を図ることができ、電源線からの電気器具の着脱を容易ならしめる断路機能を有する接続装置を小型化できる。すなわち、器具接合部を断路部と着脱自在に一体化させており、断路機能の一部を具備させていることから、断路部と器具接合部との切断構造も簡単化させている。その結果、分電盤の大型化を回避できるコンパクトな電源線接続装置を容易に実現できる。
【図面の簡単な説明】
【００３７】
【図１】本発明の実施形態で、接続装置における器具接合部および断路部を示す斜視図である。
【図２】図１の器具接合部よび断路部の上部を省略した状態を示す斜視図である。
【図３】刃受接触子を示す拡大斜視図である。
【図４】刃形接触子およびレバーを示す拡大斜視図である。
【図５】刃形接触子、刃受接触子および保護カバーを示す拡大部分断面図である。
【図６】レバーのロック機構を示す斜視断面図である。
【図７】断路部に器具接合部を取り付けた状態を示す斜視図である。
【図８】図７のＰ−Ｐ線に沿う断面図である。
【図９】図７の器具接合部および断路部の上部を省略したもので、断路部をオンした状態を示す斜視図である。
【図１０】図９のＸ矢視図である。
【図１１】図７の器具接合部および断路部の上部を省略したもので、断路部をオフした状態を示す斜視図である。
【図１２】図１１のＹ矢視図である。
【図１３】断路部から器具接合部を取り外した状態を示す斜視図である。
【図１４】図１３のＱ−Ｑ線に沿う断面図である。
【発明を実施するための形態】
【００３８】
本発明に係る電源線接続装置の実施形態を図面に基づいて以下に詳述する。なお、以下の実施形態では、単相３線式交流回路や三相３線式交流回路に適用した場合を例示するが、単相交流回路や多相交流回路にも適用可能である。
【００３９】
この実施形態の電源線接続装置は、図１および図２に示すように、電源線５０に接続された断路部１２と、電源線５０に常時接続はしておくが、故障時には取り出す電気器具１３を組み込んだ器具接合部１１とで構成され、断路部１２に対して器具接合部１１を着脱自在にしている。これら器具接合部１１および断路部１２は、それぞれ樹脂製の筐体１４，３２を備えている。
【００４０】
電源線５０（図１参照）は、断路部１２の端子部５１にねじ止めにより接続され、断路部１２を介して器具接合部１１に接続されている。なお、端子部５１には、保護カバー５２が着脱自在に装着されている。
【００４１】
この接続装置の器具接合部１１は、１ｋＡ等の大電流が流れることを想定したものである。これに対して、接続装置の断路部１２も、器具接合部１１に流れる大電流に耐え得る機能を有するものである。
【００４２】
このような機能を具備する器具接合部１１および断路部１２からなる接続装置は、例えば、一般家庭や工場などの電力需要家に設置した分電盤（図示せず）に収容される。この分電盤内では、接続装置の専有面積を低減させ、接続装置の器具接合部１１の交換が可能なように取り付け易くする必要がある。
【００４３】
ここで、分電盤に取り付ける接続装置の大きさは、協約寸法として単相用が９５×２５×６０ｍｍの大きさで、幅が三相用では３倍幅の７５ｍｍが標準である。そのため、接続装置の大きさは５倍幅の１２５ｍｍあるいは６倍幅の１５０ｍｍ以下が好ましい。この実施形態の接続装置では、以下の構造を具備することにより、協約寸法の５倍幅程度の大きさを実現している。
【００４４】
この実施形態では、電気器具１３として電流容量が大きな避雷器を組み込んだ器具接合部１１を例示するが、本発明はこれに限定されることなく、避雷器以外の他の各種電気器具について適用可能である。
【００４５】
この接続装置では、器具接合部１１と断路部１２とにスイッチ機構３１が分配されている。つまり、スイッチ機構３１は、断路部１２の筐体３２の天板部３３から突出するレバー３４と、筐体３２の側板部３５から揺動現出する刃形接触子３６と、器具接合部１１の筐体１４の接続部１６に設けられた刃受接触子１９とで構成されている。
【００４６】
一般的に、電気機器の充電側に刃受接触子を配設し、負荷側に刃形接触子を配設する。これとは逆に、この実施形態の接続装置では、充電側である断路部１２に刃形接触子３６を配設し、負荷側である器具接合部１１に刃受接触子１９を配設している。このような構造を採用することにより、器具接合部１１は可動部のない構造とすることができ、構成の簡略化が図れる。かつ、器具接合部１１を取り外した状態で刃形接触子３６を断路部１２の内部に格納することで安全性を確保している。
【００４７】
器具接合部１１の筐体１４の側板部１５には、断路部１２と電気的に接続される接続部１６が一体的に設けられている。接続部１６には、仕切壁部１７で区画された空間１８に複数（図では３個）の刃受接触子１９が配設されている。刃受接触子１９は、電気器具１３の充電側電極（図示せず）と電気的に接続されている。
【００４８】
なお、図示の接続部１６では、仕切壁部１７で区画された空間１８を４箇所設けているが、刃受接触子１９を配置していない空間１８を予備用としている。
【００４９】
刃受接触子１９は、図３に示すように、接続部１６にねじ止めされた彎曲部２２と、その彎曲部２２から上方へ一体的に延びる一対の板状部２３とで構成された導体からなる。一対の板状部２３間に後述の刃形接触子３６（図４参照）が挿入されて接触する。このように、刃形接触子３６を刃受接触子１９の一対の板状部２３間に挿入することにより、刃形接触子３６と刃受接触子１９との接触面の全体的接合を可能にさせている。
【００５０】
一対の板状部２３の下部には、刃形接触子３６の挿入を案内しながら刃形接触子３６との接触を確保するガイド部２４が設けられている。このガイド部２４は、拡開した舌片状をなす。
【００５１】
このガイド部２４による案内でもって刃形接触子３６を刃受接触子１９の板状部２３間に挿入することが容易となる。また、刃形接触子３６にはその上辺に刃先部５３が付加されており、その断面が台形をなして尖端を狭くしてある。刃先部５３がガイド部２４に挿入されることで刃受接触子１９の二枚の板状部２３を拡開させながら刃形接触子３６が刃受接触子１９に挿入されるため、刃形接触子３６と刃受接触子１９とを確実に接触させることができる。
【００５２】
刃形接触子３６の上辺には刃先部５３があるが、刃先部５３の先端部にはカット部６６が設けられている。このように、刃先部５３にカット部６６を設けることにより、刃形接触子３６を揺動させた時、刃形接触子３６の刃先部５３が刃受接触子１９の彎曲部２２の一部に接触することなく、刃受接触子１９の板状部２３間にスムーズに挿入される。
【００５３】
刃形接触子３６が刃受接触子１９の板状部２３間に挿入された状態で刃形接触子３６および刃受接触子１９を覆う保護カバー５４が接続部１６に設けられている（図１参照）。板状の保護カバー５４は、接続部１６の側壁部２５に開閉自在に枢着されている。
【００５４】
図５に示すように、保護カバー５４には、開閉操作を容易にするための把手部５５が設けられている。この把手部５５には、刃形接触子３６の刃先部５３が嵌合する切り込み部５７が設けられている。
【００５５】
保護カバー５４により、接続状態にある刃形接触子３６と刃受接触子１９とからなる充電部を覆うことで感電事故を防止することができる。また、刃受接触子１９と接続状態にある刃形接触子３６の刃先部５３が保護カバー５４の把手部５５の切り込み部５７に嵌合することで、この状態では保護カバー５４が開かないようにしている。
【００５６】
図１に示すように、接続部１６の両側壁部２５には、断路部１２に対して器具接合部１１を着脱自在に一体化するための爪部２６が設けられている。爪部２６は、側壁部２５に一体的に設けられた押圧部２７から下方へ延びる鉤状をなす。押圧部２７は、爪部２６の基部をなす。爪部２６は、押圧部２７を押し込むことにより弾性変形可能となっている。
【００５７】
接続部１６の一方の側壁部２５側で、対向する断路部１２には電源線５０が接続される端子部５１が存在し、その端子部５１に保護カバー５２が装着されている。そのため、器具接合部１１の押圧部２７と断路部１２の保護カバー５２との間に、押圧部２７を押圧することが容易なように空間５８を形成している。この空間５８を形成するために保護カバー５２に平坦部５９とその平坦部５９から延びる傾斜部６０とを設けている（図８参照）。
【００５８】
また、接続部１６の底部隅部に、断路部１２に対する器具接合部１１の取り外し時に器具接合部１１を微小に揺動させることを許容する逃げ部を設けている。この逃げ部としては、接続部１６の底部角部を面取りした形態をなすカット部６１が有効である（図１４参照）。
【００５９】
なお、器具接合部１１の筐体１４の底板部２０には、器具接合部１１を分電盤（図示せず）に設置するための凹溝２８が形成されている。分電盤の内部に設置されたレール状の取り付け部材６２（図７および図１３参照）を凹溝２８に嵌め込むようになっている。
【００６０】
図１および図２に示すように、スイッチ機構３１のレバー３４は、断路部１２の筐体３２の内部で支持部３７により揺動自在に取り付けられ、筐体３２の天板部３３の窓孔３８から外部に導出されている。天板部３３には、レバー３４の誤操作による断路部１２の刃形接触子３６の現出を防止するため、レバー３４をロックするための弾性変形可能な係止部３９が突設されている。
【００６１】
係止部３９は、レバー３４がオフ側に傾倒している側で高く、レバー３４がオン側に傾倒している側で低くなるように傾斜した形状をなす。従って、レバー３４は、オフ状態からオン状態へ操作する時に係止部３９に引っ掛かることでロックされ、係止部３９を押し込んで弾性変形させることでロック状態が解除される。
【００６２】
このレバー３４のロック状態の解除時、図６に示すように、係止部３９の押し込み量を抑制するストッパ部６３を断路部１２の筐体３２の内部に配置している。ストッパ部６３は、係止部３９の底面に設けられた突起６４と、その突起６４の下方に配置されたストッパ板６５とで構成されている。
【００６３】
このストッパ部６３では、レバー３４のロック状態の解除時、係止部３９が押し込まれて弾性変形すると、係止部３９の突起６４がストッパ板６５に当接することにより、係止部３９の押し込み量が抑制される。
【００６４】
刃形接触子３６は、図４に示すように、支持部３７でレバー３４と共に一体的に取り付けられた基部４０と、その基部４０から一体的に延びる板状部４１とで構成された導体からなる。刃形接触子３６の板状部４１の先端部に尖端状の刃先部５３を形成しており、かつ、刃先部５３にはカット部６６が設けられている。これにより、刃形接触子３６を刃受接触子１９の二枚の板状部２３に挿入することが容易となっている。
【００６５】
刃形接触子３６は、レバー３４の操作と連動してレバー３４の支点２１を中心に下方から上方へ向けて揺動自在に配置されている。図１および図２に示すように、板状部４１は、筐体３２の側板部３５のスリット４２から突出可能となっており、器具接合部１１の刃受接触子１９の板状部２３間に挿入されて接合する。
【００６６】
なお、図示の側板部３５では、スリット４２を４箇所設けているが、刃形接触子３６を配置していないスリット４２を予備用としている。この予備用のスリット４２は、器具接合部１１において、刃受接触子１９を配置していない予備用の空間１８と対応している。
【００６７】
筐体３２の側板部３５には、底部４３と両側壁部４４とで囲まれた凹所４５が形成されている。両側壁部４４には、上下方向に延びて器具接合部１１の両側壁部２５の爪部２６が嵌まり込む溝部４６が形成されている。この溝部４６に、断路部１２に対して器具接合部１１を着脱自在に一体化するための段差部４７が設けられている。この段差部４７に器具接合部１１の接続部１６の爪部２６が引掛けられる。
【００６８】
なお、断路部１２の筐体３２の底板部４８には、断路部１２を分電盤（図示せず）に固定するための凹溝４９が形成されている。分電盤の内部に設置されたレール状の取り付け部材６２（図７および図１３参照）を凹溝４９に嵌め込むことにより、断路部１２が分電盤に取り付け固定される。
【００６９】
以上で説明した器具接合部１１および断路部１２からなる接続装置は、電力需要家の分電盤に取り付けられている。接続装置の断路部１２は、その筐体３２の底板部４８の凹溝４９に取り付け部材６２を嵌合させることにより、常時、分電盤の取り付け部材６２に固定されている。これに対して、接続装置の器具接合部１１は、電気器具１３の故障時に点検および交換可能なように断路部１２に対して着脱自在に一体化されている。
【００７０】
ここで、電気器具１３が故障したとすると、故障状態となった器具接合部１１を電源線５０（図１参照）から速やかに切り離す必要がある。そこで、この実施形態の接続装置では、断路部１２をオフした状態で器具接合部１１を断路部１２から分離し、器具接合部１１の点検および交換を行う。
【００７１】
故障した器具接合部１１の断路部１２からの取り外しは、以下の要領で行われる。
【００７２】
図７および図８は断路部１２をオンした状態を示す。この状態では、図９および図１０に示すように、断路部１２の刃形接触子３６の板状部４１が器具接合部１１の刃受接触子１９の二枚の板状部２３間に挿入されている。
【００７３】
この状態からレバー３４をオフ側に傾倒させる（図１０の実線矢印参照）。このレバー３４の操作により、レバー３４の支点２１を中心に刃形接触子３６が上方から下方へ向けて揺動する（図１０の破線矢印参照）。これにより、図１１および図１２に示すように、刃形接触子３６の板状部４１が刃受接触子１９の板状部２３間から離脱する。
【００７４】
この刃形接触子３６の刃受接触子１９からの離脱により、器具接合部１１と断路部１２とが電気的に切り離される。つまり、断路部１２のオフ状態で器具接合部１１が電源線５０（図１参照）から切り離される。この時、刃形接触子３６の板状部４１は、断路部１２の側板部３５のスリット４２から筐体３２の内部に格納される（図１３参照）。
【００７５】
このように、刃形接触子３６の板状部４１が断路部１２の筐体３２の内部に格納されることにより、器具接合部１１を断路部１２から分離することが可能となる。そして、器具接合部１１の両側壁部２５の押圧部２７（図８参照）を両側方から押圧することにより、爪部２６を弾性変形させて断路部１２の溝部４６の段差部４７との引掛りを解除する。
【００７６】
この押圧部２７を押圧しながら、図１３および図１４に示すように、器具接合部１１を引き上げることにより、器具接合部１１の接続部１６を断路部１２の凹所４５から離脱させることができる。このようにして、断路部１２と器具接合部１１とを分離することができる。
【００７７】
以上のように、器具接合部１１の側壁部２５の押圧部２７（図８参照）を両側方から押圧することにより、爪部２６を弾性変形させて断路部１２の側壁部４４の段差部４７との引掛りを解除する簡易な構造により断路部１２に対する器具接合部１１の取り外しが容易となる。
【００７８】
また、器具接合部１１の保護カバー５２に平坦部５９および傾斜部６０を設けて、器具接合部１１の側壁部２５の押圧部２７付近に空間５８を形成しているので（図８参照）、断路部１２に対する器具接合部１１の取り外し時に押圧部２７を押圧する操作が容易となっている。
【００７９】
さらに、接続部１６の底部隅部にカット部６１（図８参照）を設けているので、断路部１２に対して器具接合部１１を取り外すに際して、接続部１６の押圧部２７を押圧しながら器具接合部１１を引き上げる時、カット部６１により器具接合部１１を微小に揺動させることができ、断路部１２から器具接合部１１を容易に離脱させることができる。
【００８０】
断路部１２から器具接合部１１を離脱させた後、断路部１２から分離された器具接合部１１を点検および交換する。新たな器具接合部１１の断路部１２への取り付けは、以下の要領で行われる。
【００８１】
ここで、故障した器具接合部１１を取り外した状態では、断路部１２の筐体３２の側板部３５が露呈した状態にある（図１３および図１４参照）。この状態でレバー３４を誤ってオン側へ傾倒させた場合、充電状態にある刃形接触子３６がスリット４２から現出すると、感電事故になる危険性がある（図１参照）。
【００８２】
この感電事故を防止する目的で、レバー３４の誤操作による断路部１２のオンを防止するため、レバー３４をオン側へ傾倒させようとしても、レバー３４が係止部３９に引っ掛かることでロックされる。このようにして、器具接合部１１を取り外した状態でレバー３４が誤作動することを未然に防止することで、安全性を確保している。
【００８３】
図１３および図１４に示す状態から、器具接合部１１の接続部１６を断路部１２の凹所４５に押し込むことにより、接続部１６の爪部２６が弾性変形した状態で両側壁部４４の溝部４６に挿入される。爪部２６が段差部４７に達すると、爪部２６の弾性復元力によりその爪部２６が段差部４７で引掛かり係止される。このようにして、断路部１２と器具接合部１１とが一体化される。この時、器具接合部１１の底板部２０の凹溝２８に取り付け部材６２が嵌合している。
【００８４】
このように、器具接合部１１の側壁部２５の爪部２６を断路部１２の側壁部４４の段差部４７に引掛け係止させる簡易な構造でもって断路部１２に対する器具接合部１１の取り付けが容易となる。
【００８５】
この断路部１２に対する器具接合部１１の取り付け後、係止部３９を押し込んで弾性変形させることでレバー３４のロック状態を解除する。このレバー３４のロック状態の解除により、レバー３４をオン側へ傾倒させることが可能となる。
【００８６】
このレバー３４のロック状態の解除時、係止部３９の押し込み量をストッパ部６３により抑制する（図６参照）。このストッパ部６３では、係止部３９が押し込まれて弾性変形すると、係止部３９の突起６４が筐体３２の内部でストッパ板６５に当接することにより、係止部３９の押し込み量が抑制される。これにより、押し込み過ぎによる係止部３９の破損を未然に防止している。
【００８７】
係止部３９によるロック解除後のレバー３４の操作により、スイッチ機構３１のレバー３４をオン側に傾倒させると（図１２の実線矢印参照）、筐体３２の内部では、レバー３４の支点２１を中心に刃形接触子３６が下方から上方へ向けて揺動する（図１２の破線矢印参照）。つまり、図１１および図１２に示す状態から図９および図１０に示す状態へ移行する。
【００８８】
これにより、筐体３２の内部に格納されていた刃形接触子３６の板状部４１が筐体３２の側板部３５のスリット４２から突出する（図１参照）。この刃形接触子３６の突出により、刃形接触子３６の板状部４１が器具接合部１１の接続部１６の刃受接触子１９の板状部２３間に挿入される（図８参照）。
【００８９】
この時、刃形接触子３６の板状部４１は、刃受接触子１９のガイド部２４による案内でもって刃受接触子１９の板状部２３間にスムーズに挿入される。また、刃形接触子３６の刃先部５３がガイド部２４を押し広げることで刃受接触子１９の二枚の板状部２３を拡開させながら挿入されるので、刃形接触子３６の板状部４１と刃受接触子１９の板状部２３とを確実に接触させることができる。
【００９０】
このようにして、器具接合部１１と断路部１２とがスイッチ機構３１の刃受接触子１９および刃形接触子３６を介して電気的に接続される。つまり、断路部１２のオン状態で器具接合部１１が電源線５０（図１参照）に接続された状態となる。
【００９１】
この時、接続状態にある刃形接触子３６と刃受接触子１９とからなる充電部を保護カバー５４により覆うことで感電事故を防止している。また、刃形接触子３６が刃受接触子１９と接続状態にある時は、刃形接触子３６の刃先部５３が保護カバー５４の把手部５５の切り込み部５７（図５参照）に嵌合することで、保護カバー５４を誤って開くような誤操作を未然に防止して安全性を確保している。
【００９２】
以上のように、この実施形態の接続装置では、爪部２６および段差部４７の簡便な手段により、器具接合部１１と断路部１２とを着脱自在に一体化している。また、スイッチ機構３１において、刃形接触子３６（レバー３４）の支点２１を上方に配し、刃形接触子３６を下方から上方へ向けて揺動させることで刃受接触子１９に差し込む構造（図１０および図１２参照）により、断路部１２の筐体３２の高さ寸法を小さくすることができる。
【００９３】
この断路部１２の小型化により、断路部１２の筐体３２が分電盤のケースと干渉することを回避できる。その結果、断路部１２と一体化された器具接合部１１を断路部１２と共に分電盤に容易に設置することができる。このように、分電盤の大型化を回避できるコンパクトな接続装置を容易に実現できる。
【００９４】
本発明は前述した実施形態に何ら限定されるものではなく、本発明の要旨を逸脱しない範囲内において、さらに種々なる形態で実施し得ることは勿論のことであり、本発明の範囲は、特許請求の範囲によって示され、さらに特許請求の範囲に記載の均等の意味、および範囲内のすべての変更を含む。
【符号の説明】
【００９５】
１１  器具接合部
１２  断路部
１４  筐体
１９  刃受接触子
２３  板状部
２４  ガイド部
２６  爪部
２７  基部（押圧部）
３１  スイッチ機構
３４  レバー
３６  刃形接触子
３９  係止部
４２  スリット
４７  段差部
５０  電源線
５３  刃先部
５４  保護カバー
５７  切り込み部
５８  空間
６１  逃げ部（カット部）
６３  ストッパ部
６６  カット部
【図１】
2018170119.tif 000003
【図２】
2018170119.tif 000004
【図３】
2018170119.tif 000005
【図４】
2018170119.tif 000006
【図５】
2018170119.tif 000007
【図６】
2018170119.tif 000008
【図７】
2018170119.tif 000009
【図８】
2018170119.tif 000010
【図９】
2018170119.tif 000011
【図１０】
2018170119.tif 000012
【図１１】
2018170119.tif 000013
【図１２】
2018170119.tif 000014
【図１３】
2018170119.tif 000015
【図１４】
2018170119.tif 000016
【手続補正書】
【提出日】平成29年6月9日(2017.6.9)
【手続補正１】
【補正対象書類名】特許請求の範囲
【補正対象項目名】全文
【補正方法】変更
【補正の内容】
【特許請求の範囲】
【請求項１】
電源線に接続される電気器具を組み込んだ器具接合部と、前記器具接合部を電源線に対してスイッチ機構により断接する断路部とを備え、
前記断路部に対して前記器具接合部を着脱自在の形態で一体化すると共に、前記スイッチ機構を断路部は刃形接触子で、器具接合部は刃受接触子で構成させるように分配してスイッチとして機能させることを特徴とする電源線接続装置。
【請求項２】
前記スイッチ機構は、前記断路部の内部に収容され、下方から上方への揺動により断路部の筐体から突出可能とした刃形接触子と、前記器具接合部の対向部位に設けられ、断路部の筐体から突出した刃形接触子を受ける刃受接触子とを具備した請求項１に記載の電源線接続装置。
【請求項３】
前記スイッチ機構は、断路部の内部で揺動自在に軸支され、断路部の筐体から外部に導出されたレバーを備え、前記レバーと刃形接触子とを一体化し、レバーの揺動操作により刃形接触子を断路部の筐体のスリットを介して突出退入可能とした構造を有する請求項１又は２に記載の電源線接続装置。
【請求項４】
前記スイッチ機構は、レバーの操作をロックする弾性変形可能な係止部を前記断路部の筐体に設け、前記係止部を押し込むことにより、レバーのロック状態を解除可能とした構造を有する請求項１〜３のいずれか一項に記載の電源線接続装置。
【請求項５】
前記スイッチ機構は、レバーのロック状態の解除時に係止部の押し込み量を抑制するストッパ部を、前記断路部の内部に配置した構造を有する請求項１〜４のいずれか一項に記載の電源線接続装置。
【請求項６】
前記スイッチ機構は、刃形接触子に尖端状の刃先部を形成し、前記刃先部の先端部にカット部を形成すると共に、刃受接触子に二枚の板状部を形成し、刃形接触子の前記刃先部を刃受接触子の前記板状部間に挿入可能とした構造を有する請求項１〜５のいずれか一項に記載の電源線接続装置。
【請求項７】
前記スイッチ機構は、刃受接触子に、刃形接触子の挿入を案内しながら刃形接触子との接合を確保するガイド部を設け、前記ガイド部は拡開する舌片状をなす構造を有する請求項１〜６のいずれか一項に記載の電源線接続装置。
【請求項８】
前記スイッチ機構は、刃形接触子および刃受接触子を覆う開閉可能な保護カバーを有し、刃形接触子が刃受接触子の板状部間に挿入された状態で刃形接触子の刃先部が嵌合する切り込み部を前記保護カバーに設けた構造を有する請求項１〜７のいずれか一項に記載の電源線接続装置。
【手続補正２】
【補正対象書類名】明細書
【補正対象項目名】００１４
【補正方法】変更
【補正の内容】
【００１４】
前述の目的を達成するための技術的手段として、本発明は、断路部に対して器具接合部を着脱自在の形態で一体化すると共に、スイッチ機構を断路部と器具接合部とに分配し、スイッチ機構は、断路部側が刃形接触子、器具接合部側が刃受接触子で接続させる構造をなすことを特徴とする。
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】削除
【補正の内容】
【手続補正書】
【提出日】平成29年9月13日(2017.9.13)
【手続補正１】
【補正対象書類名】特許請求の範囲
【補正対象項目名】全文
【補正方法】変更
【補正の内容】
【特許請求の範囲】
【請求項１】
電源線に接続される電気器具を組み込んだ器具接合部と、前記器具接合部を電源線に対してスイッチ機構により断接する断路部とを備え、
前記断路部に対して前記器具接合部を着脱自在の形態で一体化すると共に、前記スイッチ機構を断路部は刃形接触子で、器具接合部は刃受接触子で構成させるように分配してスイッチとして機能させ、
前記スイッチ機構は、断路部の内部で揺動自在に軸支され、断路部の筐体から外部に導出されたレバーを備え、前記レバーと刃形接触子とを一体化し、レバーの揺動操作により刃形接触子を断路部の筐体のスリットを介して突出退入可能とした構造を有することを特徴とする電源線接続装置。
【請求項２】
前記スイッチ機構は、前記断路部の内部に収容され、下方から上方への揺動により断路部の筐体から突出可能とした刃形接触子と、前記器具接合部の対向部位に設けられ、断路部の筐体から突出した刃形接触子を受ける刃受接触子とを具備した請求項１に記載の電源線接続装置。
【請求項３】
前記スイッチ機構は、レバーの操作をロックする弾性変形可能な係止部を前記断路部の筐体に設け、前記係止部を押し込むことにより、レバーのロック状態を解除可能とした構造を有する請求項１又は２に記載の電源線接続装置。
【請求項４】
前記スイッチ機構は、刃形接触子に尖端状の刃先部を形成し、前記刃先部の先端部にカット部を形成すると共に、刃受接触子に二枚の板状部を形成し、刃形接触子の前記刃先部を刃受接触子の前記板状部間に挿入可能とした構造を有する請求項１〜３のいずれか一項に記載の電源線接続装置。
【請求項５】
前記スイッチ機構は、刃受接触子に、刃形接触子の挿入を案内しながら刃形接触子との接合を確保するガイド部を設け、前記ガイド部は拡開する舌片状をなす構造を有する請求項１〜４のいずれか一項に記載の電源線接続装置。
【請求項６】
前記スイッチ機構は、刃形接触子および刃受接触子を覆う開閉可能な保護カバーを有し、刃形接触子が刃受接触子の板状部間に挿入された状態で刃形接触子の刃先部が嵌合する切り込み部を前記保護カバーに設けた構造を有する請求項１〜５のいずれか一項に記載の電源線接続装置。
【手続補正２】
【補正対象書類名】明細書
【補正対象項目名】００１４
【補正方法】変更
【補正の内容】
【００１４】
前述の目的を達成するための技術的手段として、本発明は、断路部に対して器具接合部を着脱自在の形態で一体化すると共に、スイッチ機構を断路部と器具接合部とに分配し、スイッチ機構は、断路部側が刃形接触子、器具接合部側が刃受接触子で接続させ、断路部の内部で揺動するように軸支され、断路部の筐体から外部に導出されたレバーを備え、レバーと刃形接触子とを一体化し、レバーの左右揺動操作により刃形接触子を断路部の筐体のスリットを介して揺動現出退入可能とした構造をなすことを特徴とする。
【手続補正３】
【補正対象書類名】明細書
【補正対象項目名】００１５
【補正方法】変更
【補正の内容】
【００１５】
これにより、断路器の小型化を図ることができ、断路機能を具備した電気器具を分電盤に容易に設置することができる。その結果、分電盤の大型化を回避できるコンパクトな電源線接続装置を容易に実現できる。また、断路部におけるレバーの左右揺動操作でもって刃形接触子と刃受接触子とを容易に挿入分離させることができる。
【手続補正４】
【補正対象書類名】明細書
【補正対象項目名】００２４
【補正方法】削除
【補正の内容】
【手続補正５】
【補正対象書類名】明細書
【補正対象項目名】００２５
【補正方法】削除
【補正の内容】
【手続補正６】
【補正対象書類名】明細書
【補正対象項目名】００２８
【補正方法】削除
【補正の内容】
【手続補正７】
【補正対象書類名】明細書
【補正対象項目名】００２９
【補正方法】削除
【補正の内容】